(57)【要約】本発明は、移動環境においてディスプレイ・デバイス（１２）を使用する際の不快感を回避し、かつ／または乗り物酔いを軽減する方法に関する。本発明によれば、本方法は、移動環境の少なくとも１つの運動成分を検出するステップと、運動成分、または運動成分のうちの少なくとも１つを示す、中間画像（３６）についてのデータを生成するステップと、中間画像（３６）をシリーズに挿入することにより、表示されるべきコンテンツを示す画像（２８）のシリーズ（３０）を修正するステップとを含み、修正されたシリーズ（３０）は、中間画像（３６）によりこれらの画像（２８）のシーケンス（４２）に分割され、さらに、ディスプレイ・デバイス（１２）の画像ディスプレイ（１４）の上に画像（２８、３６）の修正されたシリーズ（３０）を表示するステップを含み、修正されたシリーズ（３０）は中間画像（３６）を含む、方法である。本発明は、さらに、対応する画像処理デバイス（１６）と、画像処理デバイス（１６）を備える対応するシステム（１０）とに関する。
2014514601.tif 000002
【特許請求の範囲】
【請求項１】
移動環境においてディスプレイ・デバイス（１２）を使用する際の不快感を回避し、かつ／または乗り物酔いを軽減する方法であって、
前記移動環境の少なくとも１つの運動成分を検出するステップと、
前記運動成分、または前記運動成分のうちの少なくとも１つを示す中間画像（３６）についてのデータを生成するステップと、
表示されるべきコンテンツを示す画像（２８）のシリーズを、前記中間画像（３６）を前記シリーズに挿入することにより修正するステップとを含み、前記シリーズは、前記中間画像（３６）によりこれらの画像（２８）のシーケンス（４０）に分割され、さらに、
前記ディスプレイ・デバイス（１２）の画像ディスプレイ（１４）の上に画像（２８、３６）の前記修正されたシリーズ（３０）を表示するステップを含み、前記修正されたシリーズ（３０）は前記中間画像（３６）を含む、方法。
【請求項２】
前記少なくとも１つの運動成分は、速度、加速度、角速度、および／または角加速度である、請求項１に記載の方法。
【請求項３】
前記少なくとも１つの運動成分、または前記運動成分のうちの少なくとも１つは、前記画像ディスプレイ（１４）のスクリーン平面に平行な平面の内部の方向における運動成分である、請求項１または２に記載の方法。
【請求項４】
前記少なくとも１つの運動成分、または前記運動成分のうちの１つは、前記画像ディスプレイ（１４）のスクリーン平面に垂直な方向における運動成分である、請求項１乃至３のいずれか１項に記載の方法。
【請求項５】
前記中間画像（３２）は、前記ディスプレイ・デバイス（１２）の運動を光学的に示す少なくとも１つの参照構造（３８）を示している、請求項１乃至４のいずれか１項に記載の方法。
【請求項６】
画像の前記修正されたシリーズ（３０）の内部の中間画像（３６）の連続は、前記参照構造（３８）のモーション・ピクチャを生成する、請求項５に記載の方法。
【請求項７】
前記検出するステップは、前記ディスプレイ・デバイス（１４）の前記速度、前記加速度、および／または前記角速度を測定する少なくとも１つのセンサ（１８）を用いて実行される、請求項１乃至６のいずれか１項に記載の方法。
【請求項８】
コンピュータに、請求項１乃至７のいずれか１項に記載の方法を実行させる１組の命令を含む、ストレージ・デバイス、フロッピー・ディスク、ＣＤ、ＤＶＤ、ブルー・レイ・ディスク、ランダム・アクセス・メモリ（ＲＡＭ）などのコンピュータ読取り可能媒体。
【請求項９】
請求項１乃至７のいずれか１項に記載の方法を実行するように適合されるコンピュータ使用可能プログラム・コードを含むコンピュータ使用可能媒体を備えるコンピュータ・プログラム製品。
【請求項１０】
移動環境においてディスプレイ・デバイス（１２）の画像ディスプレイ（１４）の上に表示されるべき画像の画像データを生成する画像処理デバイス（１６）であって、前記画像処理デバイス（１６）は、前記移動環境の運動、または運動成分のうちの少なくとも１つを示す中間画像（３６）のデータを生成し、そして前記中間画像（３６）を表示されるべきコンテンツを示す画像（２８）のシリーズに挿入することにより画像の前記シリーズを修正するように構成され、前記シリーズは、前記中間画像（３６）によりこれらの画像（２８）のシーケンス（４０）へと分割される、画像処理デバイス（１６）。
【請求項１１】
移動環境において画像（２８、３６）を表示する、デバイスであることが好ましいシステム（１０）であって、前記画像（２８、３６）を表示する画像ディスプレイ（１４）を有するディスプレイ・デバイス（１２）と、前記移動環境の運動、または少なくとも１つの運動成分を検出する少なくとも１つのセンサ（１８）と、信号接続（２０、４０）により前記ディスプレイ・デバイス（１２）および前記センサ（１８）に接続された請求項１０に記載の画像処理デバイス（１６）とを備える、システム（１０）。
【請求項１２】
請求項１乃至７のいずれか１項に記載の方法を実行するように構成されている、請求項１１に記載のシステム（１０）。
【請求項１３】
前記センサ（１８）は、速度センサ、加速度センサ、角速度センサ、および／または角加速度センサである、請求項１１または１２に記載のシステム（１０）。
【発明の詳細な説明】
【技術分野】
【０００１】
本発明は、移動環境においてディスプレイ・デバイスを使用する際の不快感を回避し、かつ／または乗り物酔いを軽減するための方法に関する。本発明は、さらに、対応する画像処理デバイスと、その画像処理デバイスを備える対応するシステムとに関する。
【背景技術】
【０００２】
移動環境において、ディスプレイ・デバイスの使用によって引き起こされる乗り物酔い、または他の不快感を軽減するためのアプローチが、すでに存在している。これらのアプローチは、視覚情報と、平衡感覚との間の不一致に焦点を合わせている。
【０００３】
欧州特許出願公開第１９７７９３１Ａ１号には、乗り物の動作を検出すること、および表示されるべき画像を変換することにより、乗り物酔いの発生を低減させることができる乗り物にインストールするための画像ディスプレイ・デバイスについて示されている。
【先行技術文献】
【特許文献】
【０００４】
【特許文献１】欧州特許出願公開第１９７７９３１Ａ１号
【非特許文献】
【０００５】
【非特許文献１】Ｋａｒｒｅｍａｎｓ，  Ｊ．、Ｓｔｒｏｅｂｅ，  Ｗ．、Ｃｌａｕｓ，  Ｊ．、「Ｂｅｙｏｎｄ  Ｖｉｃａｒｙ’ｓ  ｆａｎｔａｓｉｅｓ：Ｔｈｅ  ｉｍｐａｃｔ  ｏｆ  ｓｕｂｌｉｍｉｎａｌ  ｐｒｉｍｉｎｇ  ａｎｄ  ｂｒａｎｄ  ｃｈｏｉｃｅ」、Ｊｏｕｒｎａｌ  ｏｆ  Ｅｘｐｅｒｉｍｅｎｔａｌ  Ｓｏｃｉａｌ  Ｐｓｙｃｈｏｌｏｇｙ  ４２：７９２〜７９８頁、２００６年
【発明の概要】
【発明が解決しようとする課題】
【０００６】
視覚情報と、平衡感覚との間の不一致によって引き起こされる、不快感を回避し、かつ／または乗り物酔いを軽減するための代替的な方法およびデバイスを提供することが、本発明の一目的である。
【課題を解決するための手段】
【０００７】
この目的は、独立請求項によって達成される。従属請求項は、本発明の有利な実施形態を詳しく述べるものである。
【０００８】
本発明による方法は、以下のステップ、すなわち、移動環境の少なくとも１つの運動成分を検出するステップと、運動成分、または運動成分のうちの少なくとも１つを示す、中間画像についてのデータを生成するステップと、表示されるべきコンテンツを示す画像のシリーズを、中間画像を画像のシリーズに挿入することにより修正するステップであって、そのシリーズは、中間画像により複数のこれらの画像のシーケンスに分割される、修正するステップと、ディスプレイ・デバイスの画像ディスプレイの上で画像の修正されたシリーズを表示するステップであって、修正されたシリーズは、中間画像を含んでいる、表示するステップとを含む。
【０００９】
本発明の基本的なアイデアは、ディスプレイ・デバイスの移動環境についての運動の検出をサブリミナル広告から知られているサブリミナル・メッセージの概念と組み合わせることであり、その結果、表示されたコンテンツは、不変であるように見えるが、平衡感覚との整合性を作り出す潜在意識によって感知される隠された視覚情報が、挿入されるようになる。
【００１０】
サブリミナル効果は、それらが１９５７年にねつ造された心理学実験のトピックスになって以来、非常に論議を呼ぶように論じられている。それらの著者は、映画の毎秒２４枚のピクチャのうちの１つを広告メッセージによって置き換えることは、広告された製品の売上高に大幅な影響を及ぼすことを述べた。最近のより多くの研究は、実際に、人々が、このサブリミナルな操作方法によって影響を受ける可能性があることを証明している。しかしながら、ある種の製品の好みは、物理的な必要性があり、そのようにして広告が目標に関連のある場合に、増幅されるにすぎない可能性がある。例えば、特別なドリンクについての好みは、視聴者の喉が渇いている場合に増幅される可能性があるが、それは、視聴者の喉が渇いていない場合には、視聴者に影響を及ぼさない。（参考文献：Ｋａｒｒｅｍａｎｓ，  Ｊ．、Ｓｔｒｏｅｂｅ，  Ｗ．、Ｃｌａｕｓ，  Ｊ．、「Ｂｅｙｏｎｄ  Ｖｉｃａｒｙ’ｓ  ｆａｎｔａｓｉｅｓ：Ｔｈｅ  ｉｍｐａｃｔ  ｏｆ  ｓｕｂｌｉｍｉｎａｌ  ｐｒｉｍｉｎｇ  ａｎｄ  ｂｒａｎｄ  ｃｈｏｉｃｅ」、Ｊｏｕｒｎａｌ  ｏｆ  Ｅｘｐｅｒｉｍｅｎｔａｌ  Ｓｏｃｉａｌ  Ｐｓｙｃｈｏｌｏｇｙ  ４２：７９２〜７９８頁、２００６年）。
【００１１】
本発明によれば、隠された視覚情報は、検出された運動の運動成分、または運動成分のうちの少なくとも１つを示す情報である。この情報により、潜在意識は、平衡感覚によって与えられる情報と整合している視覚情報を獲得する。この隠された視覚情報を含む中間画像は、そのような短期間に提示されるので、それは、表示されるべきコンテンツの意識的知覚に干渉しない。コンテンツは、画像ディスプレイを見ている人の意識に届くことになり、そこでは人の潜在意識は、追加の視覚情報を感知することになる。これは、移動環境においてディスプレイ・デバイスを使用するときに、乗り物酔いを軽減し、または少なくとも不快感を回避することになる。
【００１２】
本発明の好ましい一実施形態によれば、少なくとも１つの運動成分は、速度、加速度、角速度、および／または角加速度である。
【００１３】
本発明の別の好ましい実施形態によれば、少なくとも１つの運動成分、または運動成分のうちの少なくとも１つは、画像ディスプレイのスクリーン平面に平行な平面の内部の方向における運動成分である。加えて、または代わりに、少なくとも１つの運動成分、または運動成分のうちの少なくとも１つは、画像ディスプレイのスクリーン平面に垂直な方向における運動成分である。
【００１４】
本発明の別の好ましい実施形態によれば、中間画像は、ディスプレイ・デバイスの運動を光学的に示している少なくとも１つの参照構造を示している。移動する参照構造の隠された視覚情報により、画像ディスプレイを見ている人の潜在意識は、この人の平衡感覚によって与えられる情報と整合している視覚情報を獲得する。
【００１５】
本発明のさらに別の好ましい実施形態によれば、中間画像の連続は、モーション・ピクチャ（フィルム）を生成する。これらのモーション・ピクチャは、長方形フレームまたは円である、構造の何らかの配列を示す可能性があり、これらの構造は、ディスプレイ・デバイスの動きが、それらが画像ディスプレイを離れるまで通過されるトンネルの中の時間類似系列（ｔｉｍｅ  ｌｉｋｅ  ｌｉｎｅｓ）とともに、一定であり、また大きくなる場合に、画像ディスプレイの中心におかれる。フレームのような新しい構造は、（この仮想トンネルが終了しないときに）ディスプレイの中心において発生する。おのおのの検出された加速度は、これらの（リアル・タイムの）モーション・ピクチャにおいて変化をもたらす。横方向の変化（すなわち、速度の変化）は、フレーム成長の速度をただ変化させるのに対して、例えば曲線の中の横断方向の変化は、ディスプレイの中心からのフレームの偏差をもたらす。この偏差は、大きなフレーム（視聴者の近くに見える）では、小さく、より小さなフレームでは、より顕著になっており、また仮想トンネルにおいて曲線を生成する新しく現れるフレームでは、最大になる。モーション・ピクチャの別の可能性は、例えば、感知された動き情報にマッチする仮想ジェット・ローラー・コースター・ツアー（ｖｉｒｔｕａｌ  ｒｏｌｌｅｒｃｏａｓｔｅｒ  ｔｏｕｒ）とすることができる。
【００１６】
本発明のさらに別の好ましい実施形態によれば、検出するステップは、少なくとも１つのセンサを用いて実行され、このセンサ（複数可）は、少なくとも１つの速度センサ、少なくとも１つの加速度センサ、少なくとも１つの角速度センサ、および／または少なくとも１つの角加速度センサである。
【００１７】
本発明は、さらに、コンピュータに上記の方法を実行させる１組の命令を含む、ストレージ・デバイス、フロッピー・ディスク（登録商標，以下同）、ＣＤ、ＤＶＤ、ブルー・レイ・ディスク、ランダム・アクセス・メモリ（ＲＡＭ：ｒａｎｄｏｍ  ａｃｃｅｓｓ  ｍｅｍｏｒｙ）などのコンピュータ読取り可能媒体と、上記の方法を実行するように適合されるコンピュータ使用可能プログラム・コードを含むコンピュータ使用可能媒体を備えるコンピュータ・プログラム製品とに関する。
【００１８】
本発明は、さらに、移動環境においてディスプレイ・デバイスの画像ディスプレイの上に表示されるべき画像の画像データを生成するための画像処理デバイスを示している。前記画像処理デバイスは、移動環境の運動、または運動成分のうちの少なくとも１つを示す中間画像のデータを生成するように構成されている。画像処理デバイスは、さらに、表示されるべきコンテンツを示す画像のシリーズに中間画像を挿入するように構成されており、そこではシリーズは、中間画像により、これらの画像のシーケンスへと分割される。この画像処理デバイスは、「乗り物酔い軽減デバイス」または「乗り物酔い軽減モジュール」と呼ばれることもある。中間画像の挿入は、元の画像の置換、中間画像の元の画像との重ね合わせ、または中間画像の元の画像への追加とすることができる。
【００１９】
本発明は、さらに、移動環境において画像を表示するためのシステムに言及している。このシステムは、例えば、ラップトップ・コンピュータのようなデバイスであることが好ましい。本システムは、画像を表示するための画像ディスプレイを有するディスプレイ・デバイスと、移動環境の運動または少なくとも１つの運動成分を検出するための少なくとも１つのセンサと、信号接続によってディスプレイ・デバイスに、またセンサに接続された上記の画像処理デバイスとを備える。移動環境は、例えば、移動する船舶、飛行機、あるいは自動車または商用車のような乗り物である。運動成分、または複数の運動成分は、特に、ディスプレイ・デバイスそれ自体の運動成分（複数可）である。
【００２０】
今日のディスプレイ・デバイスは、入力信号をオーバーサンプリングする高いディスプレイ周波数を有するので、画像処理デバイス（乗り物酔い軽減モジュール）をディスプレイ・デバイスの中へと一体化していることが、好ましいように思われる。
【００２１】
本システムは、画像を表示するための上記方法を実行するように構成されていることが好ましい。
【００２２】
本発明の好ましい実施形態によれば、センサは、速度センサ、加速度センサ、角速度センサ、および／または角加速度センサである。したがって、運動成分の検出は、速度または速度成分の検出の範囲を超える可能性がある。
【００２３】
本発明の態様は、本発明の実施形態による方法と、デバイス（システム）と、コンピュータ・プログラム製品とについてのフローチャート図および／またはブロック図を参照して以下で説明される。フローチャート図および／またはブロック図の各ブロックと、フローチャート図および／またはブロック図の中のブロックの組合せとは、コンピュータ・プログラム命令によって実装され得ることが、理解されるであろう。コンピュータまたは他のプログラマブル・データ処理装置のプロセッサを経由して実行される命令が、フローチャートおよび／またはブロック図の１つまたは複数のブロックにおいて指定される機能／動作を実装するための手段を作り出すように、これらのコンピュータ・プログラム命令は、汎用コンピュータ、専用コンピュータ、または他のプログラマブル・データ処理装置のプロセッサに対して提供されて、マシンを生成することができる。
【００２４】
コンピュータ読取り可能媒体に記憶される命令が、フローチャートおよび／またはブロック図の１つまたは複数のブロックにおいて指定される機能／動作を実装する命令を含む製造の物品を生成するように、これらのコンピュータ・プログラム命令は、コンピュータ、他のプログラマブル・データ処理装置、または他のデバイスに特定のやり方で機能するように指示することができるコンピュータ読取り可能媒体に記憶される可能性もある。
【００２５】
コンピュータまたは他のプログラマブル装置の上で実行される命令が、フローチャートおよび／またはブロック図の１つまたは複数のブロックにおいて指定される機能／動作を実装するためのプロセスを提供するように、コンピュータ・プログラム命令は、コンピュータ、他のプログラマブル・データ処理装置、または他のデバイスの上にロードされて、動作ステップのシリーズが、コンピュータ、他のプログラマブル装置、または他のデバイスの上で実行されるようにさせて、コンピュータ実装されたプロセスを生成することもできる。
【００２６】
本発明のこれらの態様および他の態様は、以下で説明される実施形態から明らかであり、以下で説明される実施形態を参照して明らかにされるであろう。
【図面の簡単な説明】
【００２７】
【図１】本発明の好ましい一実施形態によるシステム／デバイスを示す概略図である。
【図２】中間画像によってこれらの画像のシーケンスに分割される画像のシリーズを示す概略図である。
【発明を実施するための形態】
【００２８】
図１は、画像を表示するための画像ディスプレイ（スクリーン）１４を有するディスプレイ・デバイス１２を備えるシステム１０を示すものである。本システムは、画像ディスプレイ１４の上で表示されるべき画像の画像データを生成するための画像処理デバイス１６をさらに備える。画像処理デバイス１６は、信号接続２０によってセンサ１８または複数のセンサ１８に接続される。センサ１８は、ディスプレイ・デバイス１２の環境の運動（または少なくとも運動成分）を検出するためのセンサ１８である。画像処理デバイス１６は、別の信号接続２６を用いて画像処理デバイス１６をデバイス２４に接続するためのインターフェース２２をさらに備える。デバイス２４は、データをシステム１０に対して供給し、このデータは、画像ディスプレイ１４の上で表示されるべきコンテンツを含んでいる。言い換えれば、これらのデータは、表示されるべきコンテンツを示す画像２８のシリーズの画像データである。画像２８のこのシリーズに基づいた修正されたシリーズ３０が、図２に示される。
【００２９】
画像処理デバイス１６は、少なくとも２つの機能ユニット３２、３４を備える。第１の機能ユニット３２は、中間画像３６（同様に図２に示される）のデータを生成する。これらの中間画像３６の連続は、検出された動きを示す参照構造３８のモーション・ピクチャである。それゆえに、このユニットは、モーション・ピクチャを生成するためのユニット３２である。第２の機能ユニット３４は、中間画像３６を含む画像２８、３２の修正されたシリーズ３０を生成するためのユニットである。処理デバイス１６は、別の信号接続４０によってディスプレイ・デバイス１２に接続される。
【００３０】
図２に示される画像の修正されたシリーズ３０は、おのおのが、２４枚の画像２８、３６から構成されるシーケンス４２の中へと分割される。画像２８、３６のうちの一方は、中間画像３６であり、２３枚の画像に続いている他方は、表示されるべきコンテンツを示す画像２８である。この修正されたシリーズ３０の画像２８、３６は、ｔとラベル付けされる矢印によって示される時系列において画像ディスプレイ１４の上に表示される。オプションの中間画像３６は、１秒当たりに元の２４枚の画像２８のうちの１枚を置換する、またはこの画像２８を重ね合わせる。
【００３１】
中間画像３６は、環境と、ディスプレイ・デバイス１２との運動を光学的に示す参照構造３６を示している。画像２８、３６の修正されたシリーズ３０の内部の中間画像３６の連続は、参照構造３８のモーション・ピクチャを生成する。これらのモーション・ピクチャは、通過されるトンネルの中の時間類似系列とともに大きくなる長方形フレーム３８の配列であり、そこでは各構造３８は、画像ディスプレイ１４の中心における１つの点として開始され、またしばらくしてから画像ディスプレイ１４を離れるように見える。
【００３２】
この情報により、潜在意識は、平衡感覚によって与えられる情報と整合している視覚情報を獲得する。この隠された視覚情報を含む中間画像３６は、そのような短期間に提示されるので、それは、表示されるべきコンテンツの意識的知覚に干渉しない。コンテンツは、画像ディスプレイ１４を見ている人の意識に届くことになり、そこでは人の潜在意識は、追加の視覚情報を感知することになる。これは、移動環境においてディスプレイ・デバイス１２を使用するときに、乗り物酔いを軽減し、または少なくとも不快感を回避することになる。
【００３３】
移動環境においてディスプレイ・デバイスを使用するときに、不快感を回避し、かつ／または乗り物酔いを軽減するための対応するアプローチは、以下のステップ、すなわち、
（ｉ）移動環境の少なくとも１つの運動成分を検出するステップと、
（ｉｉ）運動成分、または運動成分のうちの少なくとも１つを示す、中間画像３６についてのデータを生成するステップと、
（ｉｉｉ）中間画像３６を画像２８のシリーズに挿入することにより、表示されるべきコンテンツを示す画像２８のシリーズを修正するステップであって、そのシリーズは、中間画像３６により複数のこれらの画像のシーケンス４２に分割される、修正するステップと、
（ｉｖ）ディスプレイ・デバイス１２の画像ディスプレイ１４の上で画像の修正されたシリーズ３０を表示するステップであって、修正されたシリーズ３０は、挿入された中間画像３６を含んでいる、表示するステップと
を含む。
【００３４】
本発明は、図面および上記の説明において詳細に例証され、また説明されてきているが、そのような例証および説明は、例証的、または例示的であり、限定的ではないものと考えられるべきであり、本発明は、開示された実施形態だけには限定されないものである。
【００３５】
実施形態として開示されるべき他の変形形態は、本図面、本開示、および添付の特許請求の範囲の検討から、特許請求の範囲の本発明を実行する際に、当業者によって理解され、また影響を及ぼされる可能性がある。特許請求の範囲においては、単語「備えている／含んでいる（ｃｏｍｐｒｉｓｉｎｇ）」は、他の要素またはステップを排除するものではなく、また不定冠詞「１つの（ａ）」または「１つの（ａｎ）」は、複数を排除するものではない。ある種の対策が、相互に異なる従属請求項において列挙されるという単なる事実は、これらの対策の組合せを使用して利益をもたらすことができないことを示すものではない。特許請求の範囲におけるどのような参照符号も、範囲を限定するものとして解釈されるべきではない。
【図１】
2014514601.tif 000003
【図２】
2014514601.tif 000004
【国際調査報告】
2014514601.tif 000005
2014514601.tif 000006